(57)【要約】      （修正有）【課題】組立体の簡単且つ信頼できる製造方法、特に香箱ぜんまいとフランジの組立に適用可能な製造方法を提供する。【解決手段】２つの部品の時計用組立体の製造方法は、ぜんまいであり、舌部２０が設けられる少なくとも１つの弾性素材製の要素を含む、第１部品２を提供するステップと、少なくとも１つの切欠きまたは開口３１、３２が設けられる、第２部品３を提供するステップと、２つの部品２、３を恒久的に組み立てるステップと、を含む。２つの部品２、３は、組立体の作成のため、障害（係止）構造を用いて協働し、とりわけ舌部２０が少なくとも１つの切欠きまたは開口３１、３２内に収容される。【選択図】図８
2018031769.tif 000002
【特許請求の範囲】
【請求項１】
２つの部品の時計用組立体の製造方法であって、
ぜんまいであり、弾性素材、とりわけアモルファス金属素材またはＣｏＮｉＣｒ基合金またはニッケル基の電鋳性合金製の少なくとも１つの要素であって舌部（２０：２０’）が設けられる要素を含む、第１部品（２；２’）を提供するステップと、
少なくとも１つの切欠きまたは開口（３１、３２）が設けられる、第２部品（３；９）を提供するステップと、
前記２つの部品を恒久的に組み立てるステップと、
を含み、
前記２つの部品は、前記組立体の作成のため、障害（係止）構造を用いて協働する、とりわけ前記舌部が前記少なくとも１つの切欠きまたは開口（３１、３２）内に収容される、
２つの部品を有する時計用組立体の製造方法。
【請求項２】
前記時計用組立体は、リベット、糊、または溶接の接続要素を含まない、
請求項１に記載の製造方法。
【請求項３】
前記第１部品を提供するステップは、
前記第１部品を弾性素材の帯（１９）において画定するステップ、または前記第１部品を電鋳するステップと、
前記第１部品において前記舌部（２０）を切断するステップと、
を含む、請求項１または２に記載の製造方法。
【請求項４】
前記切断するステップは、レーザ切断、とりわけフェムト秒レーザ切断、及びまたは放電加工、とりわけワイヤ放電加工、及びまたは機械加工、及びまたは打ち抜き加工による切断を含む、請求項１から３のいずれか一項に記載の製造方法。
【請求項５】
前記第１部品を提供するステップは、
前記第１部品への前記舌部（２０）の作成を包含する、前記第１部品の電鋳ステップを含む、
請求項１から４のいずれか一項に記載の製造方法。
【請求項６】
弾性素材製の前記要素を形成及び安定化するステップを含む、
請求項１から５のいずれか一項に記載の製造方法。
【請求項７】
前記２つの部品を組み立てるステップは、
前記舌部を弾性的に変形させるための、前記舌部に対する機械的作用を行うステップと、
前記舌部を前記少なくとも１つの切欠き内に、とりわけ挿入することにより、配置するステップと、
前記舌部への機械的作用を終了するステップと、
を含む、請求項１から６のいずれか一項に記載の製造方法。
【請求項８】
前記機械的作用を行うステップに先立ち、前記舌部を変形することなく、前記舌部を突出させるため、前記舌部の近傍の少なくとも１つの弾性素材製の要素の弾性変形を実施すること、とりわけ前記少なくとも１つの弾性素材製の要素の２つのスタッド間の伸展動作を実施することを含む、
請求項７に記載の製造方法。
【請求項９】
前記少なくとも１つの弾性素材製の要素の前記弾性変形の前記実施は、前記舌部への前記機械的作用の終了後まで維持される、
請求項８に記載の製造方法。
【請求項１０】
前記少なくとも１つの弾性素材製の要素の前記弾性変形は、ぜんまいの巻付け動作中に、とりわけ巻付け動作の最後に、実施される、
請求項８または９に記載の製造方法。
【請求項１１】
香箱ぜんまい（２；２’）、とりわけアモルファス合金製の香箱ぜんまいであって、
前記ぜんまいと前記フランジとを組み立てるため、とりわけ障害（係止）構造を用いて組み立てるため、前記フランジ（３）の少なくとも１つの切欠きまたは開口（３１、３２）と協働するよう設計される舌部（２０）の形状、または
前記ぜんまいと前記フランジとを組み立てるため、とりわけ障害（係止）構造を用いて組み立てるため、前記フランジ上の舌部と協働するよう設計される少なくとも１つの切欠きの形状、
を有する第１構造を含む、香箱ぜんまい。
【請求項１２】
香箱ぜんまいフランジ（３）、とりわけアモルファス合金製のフランジ及びまたは滑りぜんまいであって、
前記ぜんまいと前記フランジとを組み立てるため、とりわけ障害（係止）構造を用いて組み立てるため、ぜんまい（２）上の舌部（２０）と協働するよう設計される少なくとも１つの切欠きまたは開口（３１、３２）の形状、または
前記ぜんまいと前記フランジとを組み立てるため、とりわけ障害（係止）構造を用いて組み立てるため、前記ぜんまいの少なくとも１つの切欠きまたは開口と協働するよう設計される舌部の形状、
を有する第２構造を含む、香箱ぜんまいフランジ。  
【請求項１３】
香箱ぜんまい（２）、とりわけ請求項１１に記載のぜんまい、
フランジ（３）、とりわけ請求項１２に記載のフランジ、
前記ぜんまい上の第１構造（２０）、及び
前記フランジ上の第２構造（３０）、
を含む、組み立てられた香箱ぜんまい装置（１）であって、
前記第１構造および前記第２構造は、前記ぜんまいと前記フランジとを組み立てるために、とりわけ障害（係止）構造を用いて組み立てるために、協働するよう配置される、
組み立てられた香箱ぜんまい装置（１）。
【請求項１４】
前記第１構造は舌部（２０）を含み、前記第２構造は少なくとも１つの切欠きまたは開口（３１）、好ましくは２つの切欠きまたは開口（３１、３２）を含み、または
前記第１構造は少なくとも１つの切欠き、好ましくは２つの切欠きを含み、前記第２構造は舌部を含む、
請求項１３に記載の香箱ぜんまい装置。
【請求項１５】
前記舌部は、丸みを帯びた自由端（２１）を含み、及びまたは前記舌部は平行または実質的に平行な、または０°から４０°の間の角度、好ましくは１°から２０°の間の角度、好ましくは２°から５°の間の角度αを形成する側面（２２、２３）を含み、及びまたは前記舌部の長さ（Ｌｏ）は、１ｍｍから３ｍｍの間、好ましくは１ｍｍから２ｍｍの間、またはぜんまいの幅の０．５倍から２倍の間、好ましくはぜんまいの幅の０．６倍から１倍の間であり、及びまたは舌部または前記少なくとも１つの切欠きの幅（Ｌａ）は、０．２ｍｍから１．２ｍｍの間、好ましくは０．３ｍｍから１．８ｍｍの間、またはぜんまいの幅の０．１倍から０．８倍の間、好ましくはぜんまいの幅の０．２倍から０．５倍の間である、
請求項１４に記載の香箱ぜんまい装置。
【請求項１６】
請求項１１から１５のいずれか１項に記載の香箱ぜんまい装置（１）を含む、香箱（１００；１００’）。
【請求項１７】
請求項１６に記載の香箱（１００；１００’）、または請求項１１から１５のいずれか１項に記載の香箱ぜんまい装置（１）を含む、時計（３００；３００’）または時計ムーブメント（２００；２００’）、とりわけ自動巻ムーブメント。
【請求項１８】
弾性時計用組立体、とりわけ香箱ぜんまいの帯（２；２’）またはフランジ（３）の製造方法であって、
アモルファス素材の帯（１９）を提供するステップと、
前記帯から前記部品を切断するステップと、
を含む方法において、
前記切断はフェムト秒レーザを用いて行われる、製造方法。
【発明の詳細な説明】
【技術分野】
【０００１】
本発明は、時計用香箱ぜんまいに関する。本発明はまた、時計用香箱ぜんまいのフランジに関する。本発明は更に、このタイプのぜんまい及びこのタイプのフランジを含むぜんまい装置に関する。本発明はまた、このタイプのぜんまいまたはこのタイプのフランジまたはこのタイプのぜんまい装置を含む香箱、ムーブメント、または時計に関する。最後に本発明は、より一般的には、２つの部品を有する時計用組立体の製造方法と、弾性時計部品の製造方法に関する。本発明はまた、より一般的には、組立実施方法により得られる時計用組立体に関する。
【背景技術】
【０００２】
現在の香箱ぜんまいは、一般に、Ｎｉｖａｆｌｅｘ（登録商標）タイプのぜんまい合金から製造され、フランジは、スポット溶接を用いて取付けられることが多い。この方法における当該ステップに必要な熱の供給は、局所的に素材の特性変更を引き起こし、香箱ぜんまいに使用される素材の性質によっては、とりわけ高温に非常に繊細なアモルファス合金を用いる場合には、ぜんまいの性能低下につながりかねない。
【０００３】
時計分野において、過度な巻上げが行われた場合に香箱ぜんまいを過剰な機械的応力に曝すことを避ける手段として、滑りフランジ（滑りぜんまいとしても知られる）が周知である。フランジは、従来溶接またはリベット止めでぜんまい上に取付けられる。
【０００４】
特許文献１は、駆動ぜんまいを固定するためのリベットの機能を果たすよう設計されるボスを含む、香箱ぜんまい用のブレーキぜんまいを開示する。
【０００５】
特許文献２は、スポット溶接を用いて香箱ぜんまい上にフランジを固定することを開示する。
【０００６】
特許文献３は、切断され折りたたまれて、香箱胴の壁と一体となる舌部からなる香箱ぜんまい留め具であって、舌部はぜんまいの外端に設けられるスロットに滑って入る、香箱ぜんまい留め具を開示する。当該解決策は、胴内でぜんまいの外端が滑ることを許可せず、このため過度な巻上げが行われた場合にぜんまいが破断する危険性を含む。
【先行技術文献】
【特許文献】
【０００７】
【特許文献１】スイス国特許出願第３４６１６３号明細書
【特許文献２】スイス国特許出願第３４３８９０号明細書
【特許文献３】英国特許出願第１３８６６１２号明細書
【特許文献４】国際公開２０１１／０６９２７３号公報
【発明の概要】
【発明が解決しようとする課題】
【０００８】
本発明の目的は、上述の欠点を解消可能であり、かつ先行技術から既知の組立方法を改善可能な、時計用組立体の製造方法を提供することである。とりわけ本発明は、組立体の簡単且つ信頼できる製造方法、特に香箱ぜんまいとフランジの組立に適用可能な製造方法を提案する。
【課題を解決するための手段】
【０００９】
本発明にかかる時計用組立体の製造方法は、請求項１に定義される。
【００１０】
当該製造方法の別の実施形態は、請求項２から１０に定義される。
【００１１】
本発明にかかるぜんまいは、請求項１１に定義される。
【００１２】
本発明にかかるフランジは、請求項１２に定義される。
【００１３】
本発明にかかるぜんまい装置は、請求項１３に定義される。
【００１４】
ぜんまい装置の異なる実施形態は、請求項１４、１５に定義される。
【００１５】
本発明にかかる香箱は、請求項１６に定義される。
【００１６】
本発明にかかる時計ムーブメント及び時計は、請求項１７に定義される。
【００１７】
本発明にかかる時計用部品の製造方法は、請求項１８に定義される。
【００１８】
添付の図面は、例として、本発明にかかる香箱ぜんまい装置の実施形態を包含する時計の複数の実施形態を図示する。
【図面の簡単な説明】
【００１９】
【図１】図１は、本発明にかかる組立方法により得られる時計用組立体の第１実施形態、ここでは香箱ぜんまい装置を含む、本発明にかかる時計の第１実施形態を示す図である。
【図２】図２は、香箱ぜんまい装置の第１実施形態の帯またはぜんまいについての第１変形例の機能部分を示す詳細図である。
【図３】図３は、香箱ぜんまい装置の第１実施形態のフランジの機能部分を示す詳細図である。
【図４】図４は、香箱ぜんまい装置の第１実施形態の帯または香箱ぜんまいであって、帯が固定された後の構造を示す図である。
【図５】図５は、巻上げプロセス中の、香箱ぜんまい装置の第１実施形態を示す図である。
【図６】図６は、ぜんまい装置の舌部にオペレーターまたは作動装置が作動している、巻上げプロセス中の、香箱ぜんまい装置の第１実施形態を示す図である。
【図７】図７は、フランジの一部分を含む、図６の舌部の詳細図である。
【図８】図８は、図１のぜんまいフランジ組立体の詳細図である。
【図９】図９は、香箱ぜんまい装置の第１実施形態の帯またはぜんまいについての第２変形例の機能部分を示す詳細図である。
【図１０】図１０は、香箱ぜんまい装置の第１実施形態の帯またはぜんまいについての第３変形例の機能部分を示す詳細図である。
【図１１】図１１は、本発明にかかる組立方法により得られる時計用組立体の第２実施形態を含む、本発明にかかる時計の第２実施形態を示す図である。
【図１２】図１２は、素材の帯を切断することでぜんまいを製造する方法を説明する図である。
【発明を実施するための形態】
【００２０】
時計３００の第１実施形態を、図１から１０を参照して以下に説明する。時計は例えば小型時計、とりわけ腕時計である。時計は、時計ムーブメント２００、とりわけ機械式ムーブメントを含む。
【００２１】
ムーブメントは、自動巻でもよく手動巻でもよい。ムーブメントは、香箱１００を含む。
【００２２】
香箱自体は、組み立てられた香箱ぜんまい１を含む。
【００２３】
組み立てられた香箱ぜんまい装置１は、
−香箱ぜんまい２、
−フランジ３、 
−ぜんまい上の第１構造２０、及び
−フランジ上の第２構造３０、
を含み、第１構造及び第２構造は、ぜんまいとフランジを組み立てるため、とりわけ両者を障害（係止）構造を用いて組み立てるため、協働するよう設計される。
【００２４】
香箱ぜんまい−フランジ組立体は、有利には、香箱ぜんまいとフランジとを接続するために他の、第３の接続要素を用いずに、とりわけ溶接、ろう付け、リベット止めまたは糊付けを用いずに、製造される。
【００２５】
香箱ぜんまいのフランジ上への組立は、部品のうち少なくとも１つがアモルファス合金製の場合、従来の溶接技術を用いては不可能であった。２つの要素（ぜんまいとフランジ）間の接続を形成するために必要な熱を加えると、アモルファス金属部分の機械的性質が損なわれ、当該部分がもろくなり、その後ぜんまいが機械的応力に曝されると破損する。
【００２６】
リベット止めも最適ではなく、小規模な製造シリーズのみに適している。実際、組立に求められる正確性を制御することが特に難しい。加えて、リベットの頭部が、パワーリザーブの維持に不利益な寸法である
【００２７】
ぜんまいとフランジを糊付けする解決策は、巻上げ動作に耐えるために必要な付着力を達成不可能なこと、または巻上げ−巻戻し周期及びぜんまいが香箱胴の壁上を滑るといった動作中に必要な信頼性を保証不可能なことから、適切ではない。加えて、多くの強力糊は熱による硬化を要し、これはアモルファス金属合金部品にとって実施が難しく、有害である。
【００２８】
第１実施形態において、第１構造は舌部２０を含み、第２構造３０は少なくとも１つの切欠きまたは開口３１、好ましくは２つの切欠きまたは開口３１、３２を含む。２つの切欠きまたは開口３１、３２の使用が特に有利である。実際、正確且つ信頼性の高い組立体の提供が可能となる。これは、舌部を後述するように２つの切欠きに収容することで、確保される。
【００２９】
舌部は、丸みを帯びた自由端２１を有してもよい。代替的に、または加えて、舌部は、平行または実質的に平行な、または０°から４０°の間の角度、好ましくは１°から２０°の間の角度、または２°から５°の間の角度αを形成する、側面２２、２３を有してもよい。好ましくは、舌部の２つの側面は、組立を簡単にし、可能な限り横軸上に組立体を維持するために、平行ではない。舌部は、全体的に長方形または台形で、任意で丸みを帯びた自由端を有する形状であってもよい。
【００３０】
舌部の長さＬｏは、１ｍｍから３ｍｍの間、好ましくは１ｍｍから２ｍｍの間、またはぜんまいの幅の０．５倍から２倍の間、好ましくはぜんまいの幅の０．６倍から１倍の間であってよい。
【００３１】
舌部の幅Ｌａは、０．２ｍｍから１．２ｍｍの間、好ましくは０．３ｍｍから０．８ｍｍの間、またはぜんまいの幅の０．１倍から０．８倍の間、好ましくはぜんまいの幅の０．２倍から０．５倍の間であってよい。
【００３２】
舌部の幅Ｌａに対する舌部の長さＬｏの比率は、２から５の間、好ましくは２．５から４の間であってよい。
【００３３】
舌部の第１変形実施形態を図２に示す。舌部は、全体に引き伸ばされた形状を有する。好ましくは、その自由端は丸みを帯びている。
【００３４】
舌部の第２変形実施形態を図９に示す。第２変形実施形態は、舌部を区切る切欠きの端部において、複数の穴２０１が設けられている点で、第１変形例と異なる。この穴は、切欠きの端部において応力の集中する領域を制限し、素材の部分的破断を防止するよう、設計される。
【００３５】
舌部の第３変形実施形態を図１０に示す。第３変形実施形態は、舌部の幅Ｌａが変化し、肩部２０２を形成する点で、第１変形例と異なる。当該肩部は、例えば、舌部の実質的に中央部に位置し、障害（係止）構造の機能と舌部の変形を分離することを可能にする。実際、狭い幅の部分２０３のみが、フランジの切欠きの少なくとも１つと、当該切欠きの中に入り込むことにより、協働する。舌部の他の部分２０４は、フランジへの導入を容易にするために舌部のより大きな変形を許可する一方、切欠きの端部に位置する屈曲点における応力の集中を制限する。
【００３６】
（図示しない）舌部の第４変形実施形態は、第２及び第３変形例の特性を併せ持つ。
【００３７】
舌部は、応力の集中を制限するよう設計されるその他あらゆる形状を用いることも可能であり、上述の例は非限定的である。
【００３８】
香箱ぜんまい２は、好ましくはアモルファス合金、またはＣｏＮｉＣｒ基の合金、またはニッケル基の電鋳合金製である。上述のように香箱ぜんまいは、ぜんまいとフランジを組み立てるため、とりわけ両者を障害（係止）構造を用いて組み立てるため、フランジ３の少なくとも１つの切欠き３０と協働するよう設計される、舌部２０の形状を有する第１構造を含む。
【００３９】
香箱ぜんまいのフランジ３は、好ましくはアモルファス合金製である。上述のようにフランジは、 ぜんまいとフランジを組み立てるため、とりわけ両者を障害（係止）構造を用いて組み立てるため、ぜんまい２の舌部２０と協働するよう設計される、少なくとも１つの切欠き３１、３２の形状を有する第２構造を含む。
【００４０】
第１実施形態の（図示しない）変形例によれば、ぜんまい装置は、第１構造が少なくとも１つの切欠きを、好ましくは２つの切欠きを含み、第２構造が舌部を有するよう構成される。このように香箱ぜんまいは、ぜんまいとフランジを組み立てるため、とりわけ両者を障害（係止）構造を用いて組み立てるため、フランジ上の舌部と協働するよう設計される、少なくとも１つの切欠きの形状を有する第１構造を含み、フランジは、ぜんまいとフランジを組み立てるため、とりわけ両者を障害（係止）構造を用いて組み立てるため、ぜんまい内の少なくとも１つの切欠きと協働するよう設計される舌部の形状を有する第２構造を含む。当該第１実施形態の変形例において、好ましくは香箱胴に対する（フランジ上に形成される）舌部の摩擦を防止するため、また当該舌部の摩耗を防止するため、香箱胴にぜんまい装置の外部まで延びる溝が設けられる。
【００４１】
時計３００’の第２実施形態を、図１１を参照して以下に説明する。時計は、例えば小型時計、とりわけ腕時計である。時計は、時計ムーブメント２００’、とりわけ機械式ムーブメントを含む。ムーブメントは、自動巻でもよく手動巻でもよい。ムーブメントは、香箱１００’を含む。
【００４２】
香箱自体は、香箱真９に組み付けられる香箱ぜんまい２’を含む。香箱は、ぜんまい上に第１構造２０’を有し、その上に第２構造３０’を有する。
【００４３】
第１構造と第２構造は、ぜんまいと香箱真とを組み立てるため、とりわけ両者を障害（係止）構造を用いて組み立てるため、協働するよう設計される。
【００４４】
香箱ぜんまい−香箱真組立体は、有利には、香箱ぜんまいと香箱真とを接続するために、他の第３の接続要素を用いずに、とりわけ溶接、ろう付け、リベット止めまたは糊付けを用いずに、製造される。
【００４５】
第２実施形態において、第１構造は舌部２０’を有し、第２構造は切欠き３０’を有する。舌部は、例えば、香箱真の中心部の溝型３１’に設けられた補完的な形状の開口と協働するよう設計される、実質的に台形形状の舌端部を有する。開口部は、例えば溝型３１’の側面３２’をえぐったものである。
【００４６】
香箱ぜんまい２’は、好ましくはアモルファス合金、またはＣｏＮｉＣｒ基の合金、またはニッケル基の電鋳合金製である。
【００４７】
本発明に係る、２つの部品を有する時計組立体の製造方法の実施形態を、上記ではそれぞれ第１及び第２部品として説明されてきたぜんまい２とフランジ３を念頭に置いて、以下に説明する。
【００４８】
この方法は、以下のステップを含む。
−少なくとも１つの弾性素材製の要素を含むぜんまい２の提供、とりわけ舌部が設けられた弾性金属素材製の要素を含み、この場合ぜんまいの全体が弾性素材で形成される、ぜんまい２の提供、
−少なくとも１つの切欠きが、この場合２つの切欠き３１、３２が設けられる、フランジの提供、
−ぜんまいとフランジの恒久的組立。
当該組立は、ぜんまいとフランジの、障害（係止）構造を用いた、とりわけ舌部と２つの切欠きを用いた、協働により実施される。とりわけこの組立は、舌部が切欠き内に収容されることにより実現される。
【００４９】
「恒久的組立」の文言は、動作中または通常の組み立て動作において、２つの部品が永続的に組み立てられることを意味する。しかしながらこれは、２つの部品の劣化または部品を損傷せずに組立体を分解できる可能性を排除しない。
【００５０】
有利には、時計組立体は、２つの部品を接続するための他の要素を含まず、とりわけリベット、糊、溶接またはろう付けを含まない。 
【００５１】
２つの部品の組立ステップは、以下のステップを含む。 
−図６及び７に示すように舌部を弾性的に変形させるため、舌部に機械的作用を及ぼす。当該機械的作用は、例えば時計工が工具５０を用いて及ぼし、
−その後、舌部２０は、舌部への機械的作用を維持したまま、ぜんまいと舌部とを互いに近づける方向に移動することで、設置され、とりわけ図７に示すように切欠き３１内に挿入され、
−その後、舌部への機械的作用が取り除かれ、舌部は、図８に示すようにその自由端が切欠き３２内に収容されるよう湾曲することで、その載置形態及び載置位置を再度取る。
このように、ぜんまいとフランジが互いに組み立てられる。組立体は、図８に示す矢印Ｆの方向に、フランジに対するぜんまいの変位力を発揮することで、保守作業の場合に取り外し可能なままである。このため、香箱のぜんまいまたはフランジを簡単に交換することができる。
【００５２】
有利には、機械的作用のステップに先立ち、舌部を変形することなく、舌部をぜんまいの表面Ｂから突出させるため、舌部の近傍の少なくとも１つの弾性素材製の要素の弾性変形、とりわけ少なくとも１つの弾性素材製の要素の２つのスタッド４０、４１間での伸展動作を行う。当該ステップは、例えば図５に示される。スタッドの１つである４０は、ぜんまいを開放環６０内に巻き上げるため、回転される。舌部近傍の変形の結果（舌部の変形はなく、載置状態に維持される）、舌部は形状、特に湾曲形状において、その近傍の形状とは異なる形状を有する。これにより、ぜんまい上で舌部を明らかにすることができる。したがって、少なくとも舌部が機械的作用により変形されている間、すなわち少なくとも舌部への機械的作用の発揮が終了するまでの間は、舌部近傍の少なくとも１つの弾性素材製の要素の弾性変形が維持されることが好ましい。このため、ばねに自由形状を与える予圧の結果、舌部を含むぜんまいの部分が直線構造になるように変形されると、舌部は張力に曝され、解放され、ぜんまいの表面Ｂ上で、フランジが接触する表面Ａの反対側を自由に指すことになる。
【００５３】
図６及び７に示すように舌部を弾性的に変形させるために舌部へ機械的作用を発揮するため、時計工は、舌部をぜんまいの表面Ａを越えて移動させるため、とりわけ工具５０を用いて舌部を押す。
【００５４】
このように、フランジを舌部に提供することができる。舌部２０を切欠き３１内に位置させるため、時計工は、舌部を切欠き３１内に挿入または滑り込ませることにより、フランジをぜんまいに対して移動させることができる。
【００５５】
舌部内の応力の結果、舌部が解放されると、舌部はフランジを押さえ込むように配置される。有利には、舌部の端部は、図８に示すように、フランジの切欠き３２内に位置される。
【００５６】
好ましくは、少なくとも１つの弾性素材製の要素の弾性変形は、ぜんまいの巻付け動作中に、とりわけ巻付け動作の最後に実施される。
【００５７】
上記の結果、フランジは予圧されたぜんまいを開放環６０へ巻き上げることを目的とする巻付け動作中に組付けられ、ぜんまいの巻上げは内端（目）からはじまり、舌部を有する外端で終わる。
【００５８】
本発明にかかる２つの部品の時計組立品の製造方法の他の実施形態を、上記ではそれぞれ第１及び第２部品として説明されてきたぜんまい２’と香箱真３０’を念頭に置いて、以下に説明する。
【００５９】
本方法は、以下のステップを含む。
−舌部が設けられた少なくとも１つの弾性素材製の要素を含むぜんまい２’の提供、この場合ぜんまいは全体が弾性素材製である、
−少なくとも１つの切欠き、この場合は２つの切欠き３２’、が設けられた、香箱真９の提供、
−ぜんまいと香箱真の恒久的組立。
当該組立は、ぜんまいと香箱真の障害（係止）構造を用いた、とりわけ舌部と２つの切欠きを用いた協働により実施される。とりわけこの組立は、舌部が切欠き内に収容されることにより実現される。
【００６０】
ぜんまい２または２’、とりわけ上記の時計組立体の製造方法に用いられるぜんまいの製造方法の実施形態を、以下に説明する。
【００６１】
ぜんまいの製造方法は、
−図１２に示すように弾性素材１９の帯において、ぜんまい２；２’を画定するステップ、またはぜんまいを電鋳するステップと、
−ぜんまいにおいて舌部２０；２０’を切断するステップ、
を含む。
【００６２】
有利には、切断ステップは、レーザ切断、とりわけフェムト秒レーザ切断、及びまたは放電加工、とりわけワイヤ放電加工、及びまたは機械加工、及びまたは打ち抜き加工による切断を含む。寸法と、使用する合金の機械的特性を維持する必要性から、フェムト秒レーザの解決策が優位となる。しかしながら、他の技術も依然想定することができる。レーザ切断、とりわけフェムト秒レーザ切断には、以下の利点がある。
−ぜんまいの機械的性質を減じることなく、正確な切断を可能とする、
−切断の形状に大幅な自由を提供し、このため切断のデザインに、とりわけ舌部の切断の冒頭の丸みを帯びた部分のデザインに大幅な自由を提供する、
−切削工具の場合に発生する摩耗を排除する、工業的方法で実施される。
【００６３】
有利には、ぜんまいの製造方法がぜんまいの電鋳を含む場合、当該ステップはぜんまいへの舌部の生成を含む。
【００６４】
また有利には、ぜんまいの製造方法は、弾性素材製の要素を形成し固定するステップを含む。固定ステップは、使用素材にかかわらず、ぜんまいの良好な機能を得るために重要である。アモルファス合金の場合、固定方法の一例が、特許文献４に開示される。Ｎｉｖａｆｌｅｘ（登録商標）などのぜんまい合金製の要素において、固定は、真空下の炉内での加熱を用いた従来の態様で実施することができる。
【００６５】
好ましくは、上述のぜんまいの製造方法は、上述の時計組立体の製造方法に基づく、舌部が設けられた少なくとも１つの弾性素材製の要素を有するぜんまいを提供するステップにおいて実行される。
【００６６】
弾性時計部品、とりわけ香箱の帯またはぜんまいフランジの製造方法の実施形態を、以下に説明する。
【００６７】
方法は以下のステップを含む。
−アモルファス素材の帯を提供する、
−帯から部品を切断し、ここで切断はフェムト秒レーザを用いて行われる。
このタイプの方法は、例えば特許文献４に記載の方法を用いて、ぜんまいの形成前に舌部の正確な切込みを実施することを可能とする。このため、図５に関して上述した通り、巻付けステップ中にぜんまいから解放される、予圧された舌部を得ることが可能になる。
【００６８】
このため本発明は、香箱ぜんまいの巻付けステップ中、フランジに設けられた切欠き内に収容されるつまみとして用いられるよう設計される舌部を、香箱ぜんまいに形成することを可能とする。これは、フランジをぜんまいに対して、非恒久的態様（すなわち、組立体は分解することができる）で、ぜんまいとフランジの素材の機械的性質を減じることなく、またより一般的には２つの組み立てられた時計部品の素材の機械的性質を減じることなく、連結することを可能にする。
【００６９】
ぜんまいとフランジが環または胴に保持される限り、この組立体は非常に強固である。２つのパーツがわずかな遊びを有して、すなわち溶接またはリベット止めに関連する応力なしに自由に組み立てられている事実は、２つの部品の内部応力の減少をもたらす。これは、最終的に組み立てられる部品の性質にとって有益である。
【００７０】
溶接によってフランジとぜんまいを組立た場合とは異なり、本発明では、ぜんまい装置が香箱から引き出されるとき、フランジをぜんまいから分離することが可能である。加えて上述の通り、組立は、加熱することなく、また組立体の内部応力を減少させて、実施される。実際、溶接を実施するためには、溶接の実施前に２つのパーツを互いに十分に接触させる必要があり、これは相当な局部応力を発生しかねない。
【００７１】
このため、本発明によれば、熱的手段（溶接またはろう付け）、または組立パーツ（リベット）を頼ることなく、フランジ上に香箱ぜんまいを機械的に組付けることが可能となる。２つの部品間のリンクは、可逆的に且つ弾性的に、及び組み立てられた部品の性質に影響を与えることなく、行われる。
【００７２】
本明細書において、「舌部」は、帯の厚みに対応して帯を切断することにより開けられる曲線と、閉曲線の２つの端部を接続する切片によって区切られる、素材の帯のいずれかの一部を意味する。有利には舌部は、帯の残部を形成する素材により完全に取り囲まれる。このため舌部は、ぜんまいまたはフランジを、（切断される曲線上にある素材を除き）廃棄される素材なくして切断することにより形成される。換言すると、舌部におけるぜんまい２またはフランジの幅は、舌部の幅にまで減少するのではなく、舌部の幅よりも大きい。実際、ぜんまいまたはフランジを形成する素材は、ぜんまいまたはフランジの長手方向に対して、舌部の両側に存在する。加えて、舌部は、ぜんまいまたはフランジの端部を形成しない。
【００７３】
本明細書において、「香箱ぜんまい装置」または「組み立てられた香箱ぜんまい」は、香箱ぜんまいとフランジとを含む組立体を意味する。香箱は、歯車列の連鎖の一部を形成してもよく、時打ち機構などの追加モジュール内に包含されてもよい。加えて、本明細書において、ぜんまいがアモルファス合金製の場合、「ぜんまい」または「香箱ぜんまい」は、安定化処置が施されているぜんまい帯を意味する。
【００７４】
本明細書において、「フランジ」は、以下の意味を含む。
−「滑りぜんまい」、すなわち主ぜんまいの外端において主ぜんまいに固定される要素。当該要素は、香箱胴の壁に対して押圧し、完全な１巻きよりわずかに多い巻きを形成する。当該要素は、主ぜんまいが普通に巻き上げられ、その後胴の壁に対して滑ることを可能にする。このため、主ぜんまいは香箱に引っ掛けられていない。
−「主ぜんまい留め金」、すなわちその本質的な機能が、香箱内において主ぜんまいが巻戻るときに、主ぜんまいの外端を香箱の壁に対して保持する機能である、要素。当該要素は、主ぜんまいを、その真周りにより同心円状に巻上げ及び巻戻らせる。当該要素は、主ぜんまいの端部に固定される短い弾力的なブレードであってもよい。当該要素は、香箱内に係合して香箱の壁に対して主ぜんまいを保持するように定位置に保持される。
【符号の説明】
【００７５】
２        ぜんまい
２０      舌部
３１      開口
３２      開口
【図１】
2018031769.tif 000003
【図２】
2018031769.tif 000004
【図３】
2018031769.tif 000005
【図４】
2018031769.tif 000006
【図５】
2018031769.tif 000007
【図６】
2018031769.tif 000008
【図７】
2018031769.tif 000009
【図８】
2018031769.tif 000010
【図９】
2018031769.tif 000011
【図１０】
2018031769.tif 000012
【図１１】
2018031769.tif 000013
【図１２】
2018031769.tif 000014
【外国語明細書】
2018031769000001.pdf
2018031769000002.pdf
2018031769000003.pdf
2018031769000004.pdf